(57)【要約】【課題】レンズ付きフイルムユニットに市販の写真フイルムが装填された際、電気回路の作動を禁止する機能を低コストで実現する。【解決手段】レンズ付きフイルムユニットには、導電性樹脂から形成されたフイルムカートリッジ１５が装填されている。フイルムカートリッジ１５が装填されるカートリッジ装填室には、カートリッジ表面に接触する接片対３２が設けられており、接片対３２が導通していればストロボ充電が行える。レンズ付きフイルムユニットに市販の写真フイルムが装填された場合、接片対３２が導通せず、ストロボ充電が不能となる。【選択図】        図３
2005017993.tif 000002
【特許請求の範囲】
【請求項１】
フイルム及び撮影済みフイルムを巻き込むカートリッジとが製造時点で予め装填され、露光量調節用の制御回路と、この制御回路の動作を禁止させるロック手段とを備えたレンズ付きフイルムユニットにおいて、
前記カートリッジの表面に導電部を設けるとともに、前記カートリッジの装填室内には前記導電部に接触する複数の接片を設け、
前記複数の接片を介して検知された抵抗値が所定の範囲外であるときには、前記ロック手段により制御回路の動作を禁止することを特徴とするレンズ付きフイルムユニット。
【請求項２】
前記制御回路はストロボ回路であり、前記ロック手段がストロボ回路の充電動作を禁止することを特徴とする請求項１記載のレンズ付きフイルムユニット。
【発明の詳細な説明】
【０００１】
【発明の属する技術分野】
本発明は、不正規なフイルム詰め替え品の製造が防止できるレンズ付きフイルムユニットに関するものである。
【０００２】
【従来の技術】
予め未露光の写真フイルムが装填され、購入したその場で撮影が可能な１回使いきりのレンズ付きフイルムユニットが知られている。レンズ付きフイルムユニットの撮影機構は、固定焦点レンズと一速シャッタからなる簡単なもので、フイルムの巻上げ操作とシャッタ操作のみで撮影が行える。また、レンズ付きフイルムユニットは、撮影終了後にそのまま現像所に持ち込むだけでフイルムの現像とプリントを依頼することができ、カメラに不慣れな者でも気軽に写真撮影を楽しむことができる。
【０００３】
近年、現像所で回収された使用済みのレンズ付きフイルムユニットに未使用フイルムが再装填された製品が市場に出回っている。このフイルム詰め替え品は、製造元と異なる業者によって、使用済みのレンズ付きフイルムユニットに市販の写真フイルムが詰め直されたものである。フイルム詰め替え品は、製造元から提供される新規製品に比べて極端に低コストで製造されており、これによる販売価格の差が新規製品の流通を妨げる原因となっている。
【０００４】
そこで、製造元のメーカーでは、フイルム詰め替え品の製造を防止する様々な工夫が検討されている。レンズ付きフイルムユニットは、１回使い切りという一般のカメラにはない特性を有することから、例えば、メーカー独自に製造された規格外のフイルムカートリッジ（パトローネ）を使用することで、市販の写真フイルムを再装填できないようにすることができる（特許文献１参照）。
【０００５】
この他にも、レンズ付きフイルムユニットを使い終えたときにストロボ装置の作動を禁止するＩＣを設け、ストロボ装置を使用可能にするためにはセキュリティ信号の入力を必要とするもの（特許文献２参照）が知られている。また、セキュリティ信号を外部から入力するかわりに、下記特許文献３，４に記載されたメモリＩＣを内蔵するフイルムカートリッジを利用して、セキュリティコードを記憶した専用カートリッジが装填された場合のみにストロボ装置を使用可能にすることもできる。
【０００６】
【特許文献１】
特開平１１−１８４００２号公報
【特許文献２】
特開２００１−０１３６３７号公報
【特許文献３】
特開平９−６８７８０号公報
【特許文献４】
特開平１１−３８５５９号公報
【０００７】
【発明が解決しようとする課題】
しかしながら、レンズ付きフイルムユニットに組み込まれる電気回路に特殊なＩＣチップを増設したり、メモリ内蔵型フイルムカートリッジを使用することは大幅なコストアップを招き、レンズ付きフイルムユニットの手軽さが損なわれるという問題がある。
【０００８】
本発明は、上記問題点を考慮してなされたもので、市販の写真フイルムを利用したフイルム詰め替え品の製造を防止するための機能を低コストで実現したレンズ付きフイルムユニットを提供することを目的とする。
【０００９】
【課題を解決するための手段】
上記目的を達成するために、本発明のレンズ付きフイルムユニットは、フイルム及び撮影済みフイルムを巻き込むカートリッジとが製造時点で予め装填され、露光量調節用の制御回路と、この制御回路の動作を禁止させるロック手段とを備えており、前記カートリッジの表面に導電部を設けるとともに、前記カートリッジの装填室内には前記導電部に接触する複数の接片を設け、前記複数の接片を介して検知された抵抗値が所定の範囲外であるときには、前記ロック手段により制御回路の動作を禁止することを特徴とするものである。
【００１０】
請求項２記載のレンズ付きフイルムユニットは、前記制御回路はストロボ回路であり、前記ロック手段がストロボ回路の充電動作を禁止することを特徴とする請求項１記載のレンズ付きフイルムユニット。
【００１１】
【発明の実施の形態】
図１において、レンズ付きフイルムユニット１は、その前面に撮影レンズ２が露呈されており、ファインダ３、ストロボ発光部４、ストロボ撮影時に予め操作される充電操作ツマミ５が設けられている。上面には、シャッタボタン６、残りの撮影可能回数が表示されるカウンタ窓７が設けられている。
【００１２】
図２において、レンズ付きフイルムユニット１は、撮影機構を備えたユニット本体１１と、ユニット本体１１に装填される写真フイルム１２と、装填された写真フイルム１２を背後から覆う後カバー１３と、ユニット本体１１の前面を覆う前カバー１４とから構成されている。
【００１３】
ユニット本体１１には、フイルムカートリッジ１５が装填されるカートリッジ装填室１６と、フイルムカートリッジ１５から予め引き出された写真フイルム１２が中空のロール形態で装填されるフイルムロール室１７とが設けられている。巻上げノブ１８は１回の撮影ごとに操作され、撮影済みフイルムがフイルムカートリッジ１５内に巻上げられる。
【００１４】
撮影レンズ２の背後には、シャッタ羽根によって露光開口が覆われた暗箱が設けられている。ユニット本体１１の上部には、シャッタ羽根を蹴飛ばしてシャッタレリーズを行なうシャッタ駆動機構、蹴飛ばし力を蓄えるシャッタチャージ機構、カウンタ機構、フイルム巻止め機構などが設けられている。
【００１５】
ストロボ装置１９は、撮影レンズ２とフイルムロール室１７の間の位置に保持される。ストロボ装置１９は、回路基板２０上にストロボ発光部４、メインコンデンサ２１、乾電池２２等が取り付けられてユニット化されている。充電スイッチ２３は充電操作ツマミ５のスライド操作によってオンされ、メインコンデンサ２１への充電を開始させる。シンクロスイッチ２４はシャッタ羽根の開放時にオンされるスイッチである。
【００１６】
図３において、ストロボ装置１９には乾電池２２の電圧を昇圧し、整流ダイオード２６を介してメインコンデンサ２１を高圧充電する昇圧発振回路２７が設けられている。また、昇圧発振回路２７はトリガ回路２８内に設けられたトリガコンデンサにも充電を行い、キセノン管２９を発光させるのに必要なトリガ電圧が蓄えられる。
【００１７】
昇圧発振回路２７は、発振トランジスタ３０及び発振トランス３１とからなる。乾電池２２と発振トランジスタ３０のベース端子の間には、カートリッジ装填室１６内に設けられた接片対３２が接続されている。フイルムカートリッジ１５は導電性樹脂から構成されており、発振トランジスタ３０のベース電流はフイルムカートリッジ１５を流れるようになっている。昇圧発振回路２７は、フイルムカートリッジ１５によって接片対３２が導通している場合に動作可能な状態となり、メインコンデンサ２１に充電を行うことができる。一方、接片対３２が導通していない場合には動作不能な状態となる。
【００１８】
次に本発明の作用について説明する。レンズ付きフイルムユニット１を使用する際には、巻上げノブ１８をロックがかかるまで操作してシャッタチャージを行う。ストロボ撮影を行う場合には、充電操作ツマミ５をスライド操作する。導電性樹脂から構成されたフイルムカートリッジ１５がカートリッジ装填室１６内に装填されていれば、接片対３２がフイルムカートリッジ１５の表面に接触し、接片対３２が導通可能な状態となる。充電スイッチ２３がオンすると同時に昇圧発振回路２７が作動し、メインコンデンサ２１とトリガ回路２８内のトリガコンデンサに充電が行われる。
【００１９】
充電完了後にシャッタボタン６を操作すると、その操作変位がシャッタ駆動機構に伝達され、シャッタ羽根の蹴飛ばし力が解放されてシャッタレリーズが行われる。シャッタ羽根が全開したとき、シャッタ羽根の先端がシンクロスイッチ２４をオンさせる。シンクロスイッチ２４がオンすることによって、トリガ回路２８ではトリガ放電が起き、キセノン管２９内で放電の起きやすい状態ができる。メインコンデンサ２１に蓄えられた電荷は、キセノン管２９内を一気に流れてストロボ発光部４から閃光照射が行われる。レンズ付きフイルムユニット１は、カートリッジ装填室１６内に導電性樹脂から構成されたフイルムカートリッジ１５が装填されていることによって以上のようなストロボ撮影が行われる。
【００２０】
これに対し、市販の写真フイルムが再装填されたレンズ付きフイルムユニットでは、接片対３２が導電性のないフイルムカートリッジ表面に接触するので、接片対３２が導通せず、昇圧発振回路２７が作動しない。このため、充電操作ツマミ５を操作してもメインコンデンサ２１への充電は行われず、ストロボ撮影を行うことはできない。
【００２１】
上記実施形態は、ストロボ装置を備えたレンズ付きフイルムユニットにおいて、フイルムカートリッジ表面に接触する接片が昇圧発振回路と接続され、接片間で導通が得られないときには充電処理が行えないように構成されたものである。この他にも、接片間で導通が得られないときに、メインコンデンサに充電電流が流れないようにしたり、メインコンデンサの蓄積電荷をキセノン管に流さないようにすることでストロボ発光を禁止することができる。
【００２２】
図４に示すように、メインコンデンサ２１と並列に半導体スイッチング素子としてサイリスタ３５を設けてバイパス回路を形成し、接片間で所定の電圧降下が得られないとき、すなわちフイルムカートリッジ１５の電気抵抗値が所定の閾値よりも小さい場合にサイリスタ３５がターンオンするようにして、メインコンデンサ２１の電荷をキセノン管２９に流さないようにすることもできる。
【００２３】
また、本出願人は、被写体輝度に応じて適正な露出調節を行うための絞り切替え装置や、近距離のストロボ撮影時にストロボ発光を停止させるストロボ調光装置を備えたレンズ付きフイルムユニットを製造・販売している。撮影光量を調節する制御回路としては、ストロボ装置の他にも上記絞り切替え装置やストロボ調光装置をも含み、これらを本発明に適用することができる。
【００２４】
絞り切替え装置を備えたレンズ付きフイルムユニットは、シャッタボタンを押下した時の操作変位によって被写体輝度を測定する測光回路の駆動スイッチが物理的にオンされるように構成されており、遅延機構によって被写体輝度に適した絞りの切替え駆動を行った後でシャッタレリーズが行われるが、カートリッジ装填室内の接片間に所定の導通が得られないときに、測光動作が禁止されたり、絞りを切替えるためのアクチュエータの駆動が禁止されるように各回路を構成し、絞り切替え機能が無効化されるようにする。
【００２５】
ストロボ調光装置を備えたレンズ付きフイルムユニットでは、ストロボ発光が行われないようにしたり、ストロボ調光機能を無効化してストロボ発光量が常に一定になるようにする。
【００２６】
なお、本発明は、フイルムカートリッジを導電性樹脂から構成するに限られず、接片間で所定の導通を得られるようにすれば、フイルムカートリッジの一部分に導電体を設けるだけでもよい。また、カートリッジ室内に接片対を複数設けるとともに、フイルムカートリッジに複数の抵抗パターンを設けてもよい。
【００２７】
【発明の効果】
以上のように、本発明によれば、レンズ付きフイルムユニットのカートリッジ装填室内に設けた複数の接片と、この接片が接触する導電部を設けたフイルムカートリッジにより、市販の写真フイルムを用いて単にフイルム詰め替えを行うだけでは露光量調節回路が機能せず、新規製品より品質の劣るものしか製造できなくなる。すなわち、新規製品と同等なフイルム詰め替え品の製造を困難にし、その製造能率を低下させて流通を抑制することが低コストで実現できる。
【図面の簡単な説明】
【図１】レンズ付きフイルムユニットの外観斜視図である。
【図２】レンズ付きフイルムユニットの分解斜視図である。
【図３】ストロボ装置の回路図である。
【図４】異なる実施形態におけるストロボ装置の回路図である。
【符号の説明】
１  レンズ付きフイルムユニット
１１  ユニット本体
１２  写真フイルム
１５  フイルムカートリッジ
１６  カートリッジ装填室
１９  ストロボ装置
２４  シンクロスイッチ
３２  接片対
【図１】
2005017993.tif 000003
【図２】
2005017993.tif 000004
【図３】
2005017993.tif 000005
【図４】
2005017993.tif 000006